(57)【特許請求の範囲】
【請求項１】
互いに誘導結合された一次コイル，二次コイル，三次コイルを有する発振トランス及び電池からのバイアス電流が前記三次コイルを介してベース端子に供給されることで発振トランスの一次コイルに一次側電流を流し、前記二次コイルに流れる二次側電流がベース端子に供給されることにより発振して一次側電流を増幅する発振トランジスタを有する発振回路と、前記二次コイルからの二次側電流によって充電されるストロボ発光用のメインコンデンサ及びトリガコンデサと、ストロボ発光時にオンして前記トリガコンデンサからの放電電流をトリガトランスに流し、その二次側に発生したトリガ電圧によりストロボ放電管を発光させるシンクロスイッチとを備えたストロボ装置において、
前記三次コイルを介した電池からのバイアス電流及び前記二次コイルからの二次側電流を前記発振トランジスタのベース端子に供給する回路を開閉し前記発振回路の作動を制御する第１スイッチと、一方の接点を前記第１スイッチの一方の接点と共有し、前記トリガコンデンサからの放電電流をシンクロスイッチを介してトリガトランスの一次側に供給する回路を開閉する第２スイッチとの３接点間をオン・オフするスイッチ部と、
前記三次コイルの端子間に接続され、前記発振回路の作動中で前記メインコンデンサが所定の充電電圧以上となっているときに、前記三次コイルの端子間に生じる電圧によって点灯する発光ダイオードとを備えたことを特徴とするストロボ装置。
【請求項２】
前記スイッチ部は、導電性を有した可動片を備え、この可動片の一端が３接点のうちのいずれか１個の接点に固定され、３接点間をオンとする際に残りの２個の接点に接触するようにされていることを特徴とする請求項１記載のストロボ装置。
【発明の詳細な説明】
【０００１】
【発明の属する技術分野】
本発明は、ストロボ装置に関し、さらに詳しくはストロボの発光禁止機能を有したストロボ装置に関するものである。
【０００２】
【従来の技術】
露光量が不足する被写体などを撮影する場合には、ストロボを発光させると、良好なプリント写真を得ることができるから、レンズのＦＮｏ．の大きいカメラや、例えばレンズ付きフイルムユニット等には、ストロボ装置が内蔵されているものがある。ストロボ撮影を行う時には、メインコンデンサを規定充電電圧まで予め充電しておく必要があるため、通常はストロボ撮影に先立って充電スイッチをオン操作する。また、充電スイッチのオン，オフの操作に連動してストロボ発光の要否を選択できるようにした発光選択機能付きのストロボ装置が知られている（例えば、実用新案登録第２５３５８８４号公報，本出願人によって製造・販売されている「写ルンですスーパースリム切り替え」（商品名）のストロボ装置等）。
【０００３】
図４に実用新案登録第２５３５８８４号公報に記載されている発光禁止機能付きのストロボ装置の回路を示す。このストロボ装置では、発振トランジスタ６０と発振トランス６１とによって、電池６２の低電圧を高電圧に変換する周知のブロッキング発振回路が構成されている。発振トランジスタ６０は、三次コイル６３を介して電池６２からのバイアス電流がベース端子に供給されることによって、発振トランス６１の一次コイル６４に一次側電流（＝コレクタ電流）を流し、二次コイル６５に誘導された起電力で流れる二次側電流がベース端子に帰還されることにより発振して一次側電流を増幅する。そして、この発振中に、二次コイル６５で発生する高電圧の起電力で流れる二次側電流でストロボ発光用のメインコンデンサ６６を充電する。
【０００４】
充電スイッチ６７は、発振トランジスタ６０のエミッタ端子に接続されており、この位置で電池６２からのバイアス電流と、一次側電流と二次側電流とを流すか否かを制御し、発振トランジスタ６０を発振させて充電を行うか、発振トランジスタ６０を停止させて充電を停止するかを切り替えるようにしている。また、充電スイッチ６７に連動してオン，オフされる発光選択スイッチ６８がエミッタ端子とトリガコンデンサ６９との間に配されており、発光選択スイッチ６８は、充電スイッチ６７のオフ時にはオフとされる。
【０００５】
充電スイッチ６７に連動して発光選択スイッチ６８がオンとされているときには、この発光選択スイッチ６８を介して流れる二次側電流でトリガコデンサ６９が充電されるとともに、シンクロスイッチ７０がオンとなったときには充電されたトリガコンデンサ６９がトリガトランス７１の一次側に放電電流を流すようにしてトリガコンデンサ６９の放電を許容することによってストロボ発光が行われるようにしている。また、シンクロスイッチ７０がオフの場合には、シンクロスイッチ７０がオンとなっても、トリガコンデンサ７０がトリガトランス７１の一次側に接続されないようにしておくことによってストロボ発光が禁止されるようにしている。そして、このようにして充電スイッチ６７と発光選択スイッチ６８とを配することで、これらのスイッチ６７，６８のそれぞれの１個の接点を互いに共有化できるようになるため、充電スイッチ６７と発光選択スイッチ６８を３接点の１個のスイッチ部で構成することが可能になっている。
【０００６】
また、図５のようにしても、図４のストロボ装置と同様に充電スイッチ６７と発光選択スイッチ６８を３接点の１個のスイッチ部で構成できる。このストロボ装置の場合には、電池６２と三次コイル６３との間に充電スイッチ６７を設け、この充電スイッチ６７の一方の接続端子が発光選択スイッチ６８の一方の接続端子と共通化できるようにしてある。なお、図中の符号７２は、メインコンデンサ６６が規定充電電圧まで充電されたときにブロッキング発振回路の動作を停止する発振停止回路である。また、符号７３は、ブロッキング発振回路の作動中にメインコンデンサ６６が規定充電電圧近くまで充電されたときに点灯を開始し、充電完了を知らせる発光ダイオードである。
【０００７】
一方、図６は、充電スイッチ６７と発光選択スイッチ６８のそれぞれを２接点のスイッチとして別々に設けたストロボ装置の回路を示している。このストロボ装置では、充電スイッチ６７と発光選択スイッチ６８とは互いに連動してオン，オフされるようにされており、充電スイッチ６７が発振トランジスタ６０のベース端子に直列に接続され、発振トランジスタ６０のベース端子に供給される電流を流すか流さないかで充電を行うか停止するかを切り替え、発光選択スイッチ６８は、トリガコンデンサ６９に直列に接続されて、シンクロスイッチ７０がオンとなったときにトリガコンデンサからの放電電流をトリガトランス７１の一次側に流すか流さないかでストロボ発光を許容するか禁止するかを切り替えているが各スイッチ６７，６８は共通な接点を持っていない。なお、図５，図６においても、二次コイル６５に高電圧の起電力を発生させて二次側電流を流すブロッキング発振回路の構成は同じであるから、実質的に同じ構成部材には同じ符号を付してその詳細な説明を省略する。
【０００８】
【発明が解決しようとする課題】
ところで、図４に示すように充電スイッチを配した場合には、充電時間が長くなってしまうといった問題が次のような理由から発生する。電池のプラス電極から発振トランスの一次コイル，発振トランジスタ（コレクタ・エミッタ間）を経て電池のマイナス電極まで順番に接続されたブロッキング発振回路の一次側回路には、メインコンデンサの充電中に大きな（例えば最大で５Ａ程度）の一次側電流（＝コレクタ電流）が流れるが、充電スイッチに一次側電流が流れるため、この充電スイッチの接触抵抗で一次側電流が小さくなる。すなわち、充電スイッチの接触抵抗によって電気エネルギーの損失が生じ、その分、単位時間当たりに二次側電流でメインコンデンサに供給される電気エネルギーが小さくなる。このため、メインコンデンサに所定の電気エネルギーが蓄えられるまで時間、すなわち規定充電電圧に達するまでの充電時間が長くなる。
【０００９】
このような問題は、充電スイッチが発振トランジスタのエミッタ端子に接続されている場合に限らず、ブロッキング発振回路の一次側回路上に配されている場合に発生する。例えば、図７に示すストロボ装置の回路は、充電スイッチ６７を電池６２のプラス電極と一次コイル６４及び三次コイル６３との間に配したものであるが、この場合にも一次側電流が充電スイッチ６７に流れ、この充電スイッチ６７の接触抵抗で電気エネルギーの損失が生じるので充電時間が長くなってしまう。なお、図７は、充電スイッチの位置が異なる他は、図５のストロボ装置と同様であるので、符号のみを付して説明を省略する。
【００１０】
また、上記図５に示されるストロボ装置の回路では、一次側電流がスイッチを介して流れないので充電時間が長くなるといった問題が発生しないが、充電スイッチをオフにした場合には、発振トランジスタへのバイアス電流の供給が停止されるが、一次コイルと電池との接続が解除されず、また発振トランスの二次コイルからの二次側電流が発振トランジスタのベースに流れこむことが可能な状態となっているため発振トランジスタが自励発振してまい、メインコデンサが所定の充電電圧まで充電されて発振停止回路が作動するまで充電が継続される。このため、ストロボ装置が故障した、あるがいはストロボ発光の状態になったといったような誤認識を撮影者に与えかねない。
【００１１】
さらに、図６に示すストロボ装置では、図５のものと同様に充電時間が長くなるといった問題は発生しないが、充電スイッチと発光選択スイッチを別々に、すなわち２個のスイッチを設ける必要があるから、３接点の１個のスイッチ部を設ける場合と比較して、設置スペースを余分に必要としたり、部品点数の増加による製造工程の増加、製造コストの上昇が避けられない。また、接点数が多くなるため、各スイッチを同時にオン，オフする際に接触不良等が生じる可能性が高くなってしまうといった問題もある。
【００１２】
本発明は上記問題点を解消するためになされたものであり、３接点の１個のスイッチ部を用いて充電及びストロボ発光の選択を行って、部品点数の増加や製造コストの上昇等を抑えながら、充電時間が長くならず、また確実に充電を停止できるようにしたストロボ装置を提供することを目的とする。
【００１３】
【課題を解決するための手段】
上記目的を達成するために、請求項１記載の発明では、三次コイルを介した電池からのバイアス電流及び二次コイルからの二次側電流を発振トランジスタのベース端子に供給する回路を開閉し発振回路の作動を制御する第１スイッチと、一方の接点を前記第１スイッチの一方の接点と共有し、トリガコンデンサからの放電電流をシンクロスイッチを介してトリガトランスの一次側に供給する回路を開閉する第２スイッチとの３接点間をオン・オフするスイッチ部と、三次コイルの端子間に接続され、前記発振回路の作動中でメインコンデンサが所定の充電電圧以上となっているときに、前記三次コイルの端子間に生じる電圧によって点灯する発光ダイオードとを備えたものである。
【００１４】
また、請求項２記載の発明では、スイッチ部は、導電性を有した可動片を備え、この可動片の一端が３接点のうちのいずれか１個の接点に固定され、３接点間をオンとする際に残りの２個の接点に接触するようにしたものである。
【００１５】
【発明の実施の形態】
本発明のストロボ装置路を内蔵したレンズ付きフイルムユニットを図２に示す。レンズ付きフイルムユニットは、簡単な撮影機構を備えたユニット本体２に写真フイルムを内蔵しており、このユニット本体２には外装紙３が巻かれている。ユニット本体２の前面には、撮影レンズ４，ファインダ５の対物側窓５ａ，ストロボ発光部６，操作レバー７が設けられている。また、ユニット本体２の上面には、シャッタボタン８，残り撮影可能コマ数を表示するカウンタ窓９，ストロボ充電の完了を表示する表示用ライトガイド１０が突出される開口１０ａが設けられている。さらに、ユニット本体２の背面側には、１コマの撮影ごとに回転操作される巻上げノブ１１が露呈されている。
【００１６】
外装紙３は、撮影レンズ４，ファインダ５，カウンタ窓９等を露呈する開口が設けられ、またストロボ発光部６，シャッタボタン８，操作レバー７，巻上げノブ１１等を避けて巻かれているので、外装紙３をユニット本体２に巻き付けたままで撮影操作を行うことができるようになっている。
【００１７】
操作レバー７は、スイッチ部１７（図１参照）をＯＮ，ＯＦＦするためのものである。この操作レバー７は、レンズ付きフイルムユニットの上方向にスライドされたＯＮ位置と下方にスライドされたＯＦＦ位置との間でスライド自在にされている。操作レバー７をＯＮ位置にセットすると、スイッチ部１７がＯＮとされて充電が行われるとともにストロボ発光が許容される。また、操作レバー７をＯＦＦ位置にセットすると、スイッチ部１７がＯＦＦとされて充電が停止されるとともにストロボ発光が禁止される。操作レバー７は、セットされた位置から振動等でずれないようにされている。
【００１８】
なお、このレンズ付きフイルムユニットでは、充電が完了すると充電が停止されるが、充電が停止された後に操作レバー７をＯＮ位置に維持しておくことにより、自然放電分を補うようにして断続的に補助充電が行われる。また、操作レバー７がＯＮ位置にスライドされることに連動して表示用ライトガイド１０がユニット本体２の上面より突出される。
【００１９】
上記レンズ付きフイルムユニットに内蔵されたストロボ装置の外観を図３に示す。ストロボ装置は、ストロボ回路基板１５にストロボ発光部６，メインコンデンサ１６，スイッチ部１７，シンクロスイッチ１８，ストロボ装置の電源としての電池１９（図１参照）や電子部品を組み付けてユニット化したものである。
【００２０】
スイッチ部１７は、１枚の導電性を有する可動片２０とストロボ回路基板１５の表面に設けられた第１〜第３接点（ランド）２１ａ〜２１ｃとからなり、充電を行うか否かを切り替えるための充電スイッチと、ストロボ発光を許容するか禁止するかを切り替える発光選択スイッチとの両機能を有した３接点のものである。可動片２０は、弾性を有した金属板を加工したものであり、一端が２又に分かれた形状とされている（「以下、説明の便宜上、この一端のそれぞれ部分を第１端２０ａ，第２端２０ｂと称して説明する）。可動片２０は、その他端２０ｃが第３接点２１ｃに半田付けされることによりストロボ回路基板１５上に固定されている。スイッチ部１７は、第１端２０ａと第２端２０ｂをそれぞれ第１接点２１ａと第２接点２１ｂとから離して、第１〜第３接点２１ａ〜２１ｃ間を電気的に切り離してオフとしたＯＦＦ状態と、第１端２０ａと第２端２０ｂをそれぞれ第１接点２１ａと第２接点２１ｂとに接触させて、第１〜第３接点２１ａ間を電気的に接続してオンとしたＯＮ状態との間で変移される。
【００２１】
操作レバー７がＯＦＦ位置にセットされている状態では、スイッチ部１７はＯＦＦ状態とされ、操作レバー７をＯＮ位置にスライド操作すると、この操作レバー７の後端に形成された押圧部７ａが上方向にスライド移動されることにともなって、この押圧部７ａにより可動片２０の一端が押圧されてストロボ回路基板１５に近づく方向に弾性変形され、第１端２０ａが第１接点２１ａに、第２端２０ｂが第２接点２１ｂにそれぞれ押し付けられて、ＯＮ状態に保持される。
【００２２】
なお、この例では、可動片２０の一端を第１接点２１ａ及び第２接点２１ｂと接触させて確実に電気的に接続するために２又に分けた形状としているが、電気的には第１〜第３接点２１ａ〜２１ｃが可動片２０によって接続されればよいので可動片２０の一端を２又に分けなくてもよい。また、可動片２０を固定しておく接点は、第１〜第３接点２１ａ〜２１ｃのいずれでもよい。さらに、ＯＦＦ状態で可動片２０が全ての接点より離れた状態とされ、ＯＮ状態で全ての接点に接触する構造としてもよいが、ここで説明しているようにして、１個の接点に固定しておけば接触不良となる可能性を低くすることができる。
【００２３】
シンクロスイッチ１８は、上下に配された一対の接片１８ａ、１８ｂとからなり、シャッタ機構が作動されたときにシャッタ羽根に一体に形成された押圧片（図示省略）で上側の接片１８ａが押圧されて下側の接片１８ｂに接触することによりＯＮとなる。このシンクロスイッチ１８のＯＮは、ストロボ発光のタイミング制御に用いられる。
【００２４】
上記ストロボ装置の回路を図１に示す。前述のようにスイッチ部１７は、可動片２０と第１〜第３接点２１ａ〜２１ｃとから構成されており、可動片２０の他端２０ｃが第３接点２１ｃに接続されており、操作レバー７の操作によって第１端２０ａと第２端２０ｂがそれぞれ対応する第１接点２１ａ，第２接点２１ｂに接触したＯＮ状態と離れたＯＦＦ状態で変移される。
【００２５】
発振トランジスタ２９と発振トランス３０とは、メインコンデンサ１６を高電圧で充電するために電池１９の低電圧を高電圧に変換する周知のブロッキング発振回路を構成している。発振トランス３０は、それぞれが誘導結合された一次コイル３１，二次コイル３２，三次コイル３３とから構成されている。発振トランス３０では、一次コイル３１の各端子が第１端子３０ａ，第２端子３０ｂに、二次コイル３２の一方の端子が第５端子３０ｅに、他方の端子が三次コイル３３の一方の端子と共有端子である第４端子３０ｄに、三次コイル３３の他方の端子が第３端子３０ｃになっている。また、二次コイル３２には、中間出力端子３０ｆが設けられている。
【００２６】
この発振トランス３０は、第１端子３０ａがＮＰＮ型の発振トランジスタ２９のコレクタ端子に接続され、第２端子３０ｂが電池１９のプラス電極に接続されている。第３端子３０ｃは、抵抗３４ａを介して電池１９のプラス電極に接続され、第４端子３０ｄは、スイッチ部１７と抵抗３４ｂを介して発振トランジスタ２９のベース端子に接続されている。また、この第４端子３０ｄは、スイッチ部１７を介してトリガコンデンサ３５の一端に接続されている。第５端子３０ｅは、整流用ダイオード３６のカソードに接続されている。整流用ダイオード３６のアノードにはメインコンデンサ１６の一端（マイナス側）が接続されるとともに、抵抗３４ｃを介してトリガコンデンサ３５の他端に接続されている。発振トランジスタ２９のエミッタ端子は、電池１９のマイナス電極に接続されてグランドされ、このエミッタ端子にメインコンデンサ１６のプラス側が接続されている。
【００２７】
トリガコイル３７は、誘導結合された一次コイル３７ａと二次コイル３７ｂとから構成されており、一次コイル３７ａと二次コイル３７ｂの各一端は共有端子とされている。一次コイル３７ａの他端は、トリガコンデンサ３５の他端に接続され、二次コイル３７ｂの他端は、ストロボ発光部に内蔵されたストロボ放電管３８に近接して設けられたトリガ電極３９に接続されている。各コイル３７ａ，３７ｂの共有端子は、シンクロスイッチ１８を介してスイッチ部１７に接続されている。ストロボ放電管３８の各端子は、メインコンデンサ１６の両端に接続されている。
【００２８】
これにより、電池１９から抵抗３４ａ，三次コイル３３，スイッチ部１７，抵抗３４ｂ，発振トランジスタ２９のベース・エミッタ間を経て電池１９のマイナス電極まで順番に接続された回路が発振トランジスタ２９を作動させるためのバイアス電流を流すバイアス回路となっている。また、二次コイル３２の第４端子３０ｄからスイッチ部１７，発振トランジスタ２９のベース・エミッタ間，メインコンデンサ１６，整流用ダイオード３６，二次コイル３２の第５端子３０ｅまで順番に接続された回路がメインコンデンサ１６を充電し、また発振トランジスタ２９を発振させるため二次側電流を流す主二次側回路となっている。さらに、二次コイル３２の第４端子３０ｄからスイッチ部１７，トリガコンデンサ３５，二次コイル３２の第５端子３０ｅまで順番に接続された回路がトリガコンデンサ３５を充電するための二次側電流を流す副二次側回路となっている。
【００２９】
一方、トリガコンデサ３５の一端からスイッチ部１７，シンクロスイッチ１８，トリガトランス３７の一次コイル３７ａ、トリガコンデンサ３５の他端まで順番に接続された回路がシンクロスイッチ１８をＯＮとしたときにトリガコンデンサ３５からの放電電流を一次コイル３７ａに流すトリガ放電回路となっている。
【００３０】
スイッチ部１７は、ＯＮ状態となったときに、発振トランジスタ２９にバイアス電流と二次側電流とを供給し、またトリガコンデンサ３５に二次側電流を供給し、しかもシンクロスイッチ１８がＯＮとなったときにトリガ放電回路を閉回路とし、さらにＯＦＦ状態となったときに，発振トランジスタ２９へのバイアス電流と二次側電流の供給を遮断し、かつシンクロスイッチ１８がＯＮとなってもトリガ放電回路が開かれた状態に維持されるようにして接続される。このため、スイッチ部１７は、発振トランジスタ２９にバイアス電流と二次側電流を供給する回路を開閉する第１スイッチ、及びトリガ放電回路を開閉する第２スイッチを形成し、２個のスイッチのうちの各１個の接続端子（接点）が共有化されるように回路中に配される。
【００３１】
この例では、第１接点２１ａに発振トランス３０の第４端子３０ｄとシンクロスイッチ１８が、第２接点２１ｂにトリガコンデンサ３５の一端が、第３接点２１ｃに発振トランジスタ２９のベース端子（抵抗３４ｂ）が接続されている。そして、第１接点２１ａ，第３接点２１ｃとが発振トランジスタ２９にバイアス電流と二次側電流を供給する回路を開閉する第１スイッチの各接続端子であり、第１接点２１ａ，第２接点２１ｂとがトリガ放電回路を開閉する第２スイッチの各接続端子であって、第１接点２１ａが第１，第２スイッチで共有された接続端子である。
【００３２】
なお、上記の接続は一例であって、例えばトリガコンデンサ３５の一端と発振トランジスタ２９のベース端子とを１個の接点に接続し、残りの２個の接点に発振トランス３０の第４端子３０ｄ，シンクロスイッチ１８を接続するようにしてもよい。また、発振トランジスタ２９のベース端子とシンクロスイッチ１８とを１個の接点に接続し、残りの２個の接点に第４端子３０ｄ、トリガコンデンサ３５の一端を接続する等としてもよい。さらに、シンクロスイッチ１８を図中の符号１８ａで示す位置に配してもよい。この場合には、トリガコンデンサ３５とトリガトランス３７（共有端子）との間がスイッチ部１７で開閉されるようにして、スイッチ部１７がＯＮ状態のときにトリガコンデンサ３５が二次側電流で充電されるようにする。
【００３３】
スイッチ部１７をＯＮ状態とすると、バイアス回路，主二次側回路，副二次側回路が閉じられる。バイアス回路が閉じられると、発振トランジスタ２９は、ベース端子に電池１９からの給電を受けて、すなわちベース電流（バイアス電流）が流れて作動を開始し、一次コイル３１に一次側電流（コレクタ電流）を流す。そして、発振トランジスタ２９は、発振トランス３０の正帰還作用、すなわち主二次側回路に流れる二次側電流がベース電流として流れ、ベース電流が増大することでコレクタ電流を増大させ発振する。
【００３４】
二次コイル３２には、発振トランジスタ２９の発振中に、一次コイル３１と二次コイル３２との巻線比に応じた高電圧、例えば３００Ｖ程度の起電力を発生する。整流用ダイオード３６は、この起電力によって第５端子３０ｅから第４端子３０ｄ方向の二次側電流だけを閉じられた主二次側回路と副二次側回路に流す。これにより、メインコンデンサ１６とトリガコンデンサ３５とがそれぞれ充電される。
【００３５】
また、スイッチ部１７がＯＮ状態で、シンクロスイッチ１８がＯＮとなると、トリガ放電回路が閉じられる。これにより、トリガ放電回路でのトリガコンデンサ３５の放電が可能となる。そして、トリガコンデンサ３５の放電電流がトリガトランス３７の一次コイル３７ａに流れると、二次コイル３７ｂにトリガ電圧（例えば４ＫＶ）が発生し、このトリガ電圧がトリガ電極３９を介してストロボ放電管３８に印加される。メインコンデンサ１６の充電が完了している状態でトリガ電圧が印加されると、ストロボ放電管３８内でメインコンデンサ３８の電荷が放電され、ストロボ放電管３８よりストロボ光が放出される。
【００３６】
また、スイッチ部１７をＯＦＦ状態とすると、このスイッチ部１７でバイアス回路，主二次側回路，副二次側回路が開かれる。バイアス回路及び主二次側回路が開かれると、発振トランジスタ２９にベース電流（バイアス電流及び二次側電流）が流れなくなるので、発振トランジスタ２９が自励発振することなく停止してメインコンデンサ１６及びトリガコンデンサ３５の充電が停止される。また、スイッチ部１７がＯＦＦ状態でシンクロスイッチ１８をＯＮとしても、スイッチ部１７でトリガ用放電回路が開かれた状態とされるので、トリガコンデンサ３５は放電せず、ストロボ発光が行われない。
【００３７】
このストロボ装置には、発振停止回路４０が組み込まれている。発振停止回路４０は、ダイオード４１，ツェナダイオード４２，ＰＮＰ型の停止用トランジスタ４３，停止用コンデンサ４４，抵抗４５ａ〜４５ｃとで構成されている。ダイオード４１は、カソードが発振トランス３０の二次コイル３２に設けられた中間出力端子３０ｆに接続され、アノードが抵抗４５ａを介してツェナダイオード４２のアノードに接続されている。ダイオード４１は、中間出力端子３０ｆに発生する交流電圧を整流し、負電圧だけを取り出してツェナダイオード４２に与える。ツェナダイオード４２としては、ツェナ電圧が低電圧、例えば１０Ｖのものが用いられており、ツェナ電圧以上の逆方向電圧が印加されたときにカソードからアノードの方向にツェナ電流（逆方向電流）を流す。
【００３８】
中間出力端子３０ｆの電位Ｖａは、ブロッキング発振回路の発振動作により振幅し、またその全体的なレベルがメインコンデンサ１６の充電電圧の上昇にともなって比例的に変化する。このストロボ回路では、メインコンデンサ１６のプラス側の電位を一定にしながらマイナス側の電位が低くなるようにしてマイナス充電を行っているため、中間出力端子３０ｆの電位Ｖａは、充電電圧の上昇にともなって比例的に降下する。中間出力端子３０ｆは、充電が完了してメインコンデンサ１６の充電電圧が規定充電電圧（例えば３００Ｖ）に達している状態で、二次コイル３２に起電力が発生した時に、その電位Ｖａと第４端子３０ｄの電位Ｖｂとの電位差（電圧：Ｖｂ−Ｖａ）が、所定の電圧Ｖｏｎとなるように、第２コイル３２での位置が決められている。電圧Ｖｏｎは、ツェナダイオード４２のツェナ電圧Ｖｚにダイオード４１等の電圧降下分（約０．６Ｖ）等を加算した電圧値である。
【００３９】
これにより、メインコンデンサ１６が規定充電電圧まで充電されると、ツェナダイオード４２にツェナ電流が流れ、停止用コンデンサ４４がツェナ電流で適当な充電電圧まで充電される。この充電後に、停止用コンデンサ４４が抵抗４５ｂを介して放電し、停止用トランジスタ４３にベース電流を流し、停止用トランジスタ４３をＯＮとする。停止用トランジスタ４３のコレクタ端子はグランドされて発振トランジスタ２９のエミッタ端子に、エミッタ端子は発振トランス３０の第４端子３０ｄに、すなわちスイッチ部１７を介して発振トランジスタ２９のベース端子に接続されている。これにより、停止用トランジスタ４３がＯＮとなると、発振トランジスタ２９の入力端子（ベース端子とエミッタ端子）が短絡されて発振トランジスタ２９が停止される。
【００４０】
上述のように、停止用コンデンサ４４は、抵抗４５ｂを介して放電するようにしてある。これにより、停止用トランジスタ４３に比較的に長い時間でベース電流を流すようにし、停止用トランジスタ４３のＯＮ時間を長くして、確実に発振トランジスタ２９の発振を停止する。
【００４１】
メインコンデンサ１６が規定充電電圧まで充電された後で停止用コンデンサ４４が放電してその充電電圧が低下すると、停止用トランジスタ４３がＯＦＦとなるため、スイッチ部１７がＯＮ状態となっていれば、再び発振トランジスタ２９が作動を開始して、再びメインコンデンサ１６が規定充電電圧まで充電されると、ツェナダイオード４２にツェナ電流が流れ停止用コンデンサ４４が充電され、この停止用コンデンサ４４の放電によって発振トランジスタ２９が停止されるといった動作が繰り返し行われる。これにより、メインコンデンサ１６の自然放電分を補うようにして断続的に補助充電が行われる。
【００４２】
中間出力端子３０ｆに接続されたダイオード４１とツェナダイオード４２とは、互いに温度補償回路になっている。これらのダイオード４１とツェナダイオード４２は、半導体素子であるため周知のように温度によって特性が変化し、ダイオード４１では順方向電圧（ダイオードによる降下電圧）が、ツェナダイオード４２ではツェナ電圧が変化する。ツェナダイオード４２のツェナ電圧が僅かに変化すると発振停止回路４０による充電停止時におけるメインコンデンサ１６の充電電圧が大きく変化してしまう。これを防止するために、温度係数の符号が互いに異なるダイオード４１とツェナダイオード４２を用いることで、温度変化でツェナ電圧が低くなったときには、ダイオード４２の順方向電圧を高くし、ツェナ電圧が高くなったときには、ダイオード４２の順方向電圧を低くするようにして、一定の充電電圧に達したときにツェナダイオード４２にツェナ電流が流れるようにしてある。なお、実際には整流を目的としたダイオード４１の温度係数が負であるから、温度係数が正となるツェナ電圧が５〜６Ｖ以上のツェナダイオード４２を用いればよい。
【００４３】
ストロボ発光時には、トリガコンデンサ３５の放電によって電気的なノイズが発生し、発振トランジスタ２９のベース端子に印加される。停止用トランジスタ４３のエミッタ・コレクタ間に接続されたダイオード４６は、その電気的なノイズを低減して発振トランジスタ２９を保護している。
【００４４】
発光ダイオード４８は、充電が完了したことを撮影者に知らせるために設けられている。この発光ダイオード４８は、アノードが発振トランス３０の第４端子３０ｄにカソードが第３端子３０ｃに接続されており、ブロッキング発振回路の作動中にメインコンデンサ１６の充電電圧の変化に基づいて第４端子３０ｄと第３端子間の電圧が変化することを利用して、メインコンデンサ１６が充電電圧が所定の表示用充電電圧（例えば２６５Ｖ）まで充電されると点灯するようになっている。なお、この発光ダイオード４８の動作の詳細については特開平８−１１５７９６号公報に記載されている。
【００４５】
発光ダイオード４８は、メインコンデンサ１６がその充電完了後では、発振停止回路４０によって断続的に充電が行われることに応じて、点灯と消灯とを断続的に行って点滅する。この点滅間隔は、停止用トランジスタ４３のＯＮ時間の設定と同時に、停止用コンデンサ４４の静電容量と抵抗４５ｂの抵抗値とによって決まる時定数を調節することで設定することができる。この発光ダイオード４８は、レンズ付きフイルムユニットの上方に突出された状態の表示用ライトガイド１０の下端に対面する位置に配されている。撮影者は、この表示用ライトガイド１０を通して発光ダイード４８の点滅を確認し、充電の完了を知ることができる。
【００４６】
次に、上記構成の作用について説明する。撮影者は、レンズ付きフイルムユニットの巻上げノブ１１を回動操作して、写真フイルムの巻き上げをするとともに、シャッタチャージを行い撮影の準備をする。そして、ストロボを発光させて撮影する必要がある場合には、操作レバー７を上方にスライドさせてＯＮ位置にセットする。操作レバー７をＯＮ位置にセットすることにより、開口１０ａより表示用ライトガイド１０が突出される。また、操作レバー７の押圧部７ａによって可動片２０が弾性変形され、その第１端２０ａと第２端２０ｂがそれぞれ対応する第１接点２１ａと第２接点２１ｂに接触され、第１〜第３接点２１ａ〜２１ｃが可動片２０で互いに接続されて、スイッチ部１７がＯＮ状態とされる。
【００４７】
スイッチ部１７がＯＮ状態とされるとバイアス回路が閉じられるため、抵抗３４ａ、三次コイル３３，スイッチ部１７の第１接点２１ａ，可動片２０，第３接点２１ｃ，抵抗３４ｂを介して、電池１９からのバイアス電流がベース電流として発振トランジスタ２９に流れる。これにより、発振トランジスタ２９は、ベース電流に応じたコレクタ電流を流すようになる。このコレクタ電流は、電池１９を電源として、第２端子３０ｂから第１端子３０ａ方向の一次側電流として一次コイル３１に流れる。
【００４８】
また、一次側電流が流れる始める（増加する）ことによって、二次コイル３２に高電圧の起電力が発生する。主二次側回路は、スイッチ部１７がＯＮ状態とされることによって閉じられているから、二次コイル３２で発生した起電力によって第５端子３０ｅから第４端子３０ｄ方向に二次側電流が流れ、この二次側電流がスイッチ部１７を介して発振トランジスタ２９のベース電流として流れ込むので、ベース電流が増大して一次コイル３１からのコレクタ電流（一次側電流）がさらに増加する。
【００４９】
このようにして発振トランジスタ２９は、発振トランス３０の正帰還作用によって、ベース電流が増大され、コレクタ電流すなわち一次側電流を増大するが、発振トランジスタ２９が飽和状態に近づくと、コレクタ電流の変化が小さくなる。これにより、一次側電流の変化が小さくなり、発振トランス３０の各コイル３１〜３３には、逆起電力が発生する。この逆起電力のために、発振トランジスタ２９は、二次コイル３２からのベース電流が急激に減少するので、コレクタ電流を急激に減少させる。
【００５０】
しかし、発振用トランジスタ２９は、電池１９からバイアス電流が与えられているため、完全にＯＦＦとなることはなく、発振トランス３０の逆起電力の発生後、再びコレクタ電流を増加させて、一次側電流を増加させる。このようにして、スイッチ部１７がＯＮ状態となっている間に発振トランジスタ２９が発振し、ブロッキング発振回路の発振動作が継続して行われる。
【００５１】
発振動作中に二次コイル１６で発生した起電力による第５端子３０ｅから第４端子３０ｄ方向の二次側電流は主二次側回路を流れて、すなわち第４端子３０ｄからスイッチ部１７の第１接点２１ａ，可動片２０，第３接点２１ｃ、発振トランジスタ２９のベース・エミッタ間を経てメインコンデンサ１６に流れ込んで、メインコンデンサ１６を充電する。また、副二次側回路も閉じられているので、第４端子３０ｄから流れ出した二次側電流の一部がスイッチ部１７の第１接点２１ａ，可動片２０，第２接点２１ｂを介してトリガコンデンサ３５に流れ込み、このトリガコンデンサ３５が充電される。
【００５２】
このようにして充電が進むと、メインコンデンサ１６は、電池１９のマイナス電極の電位を基準とするとプラス側の電位が０Ｖのままで、マイナス側の電位が降下するようにしてメインコンデンサ１６の端子間電圧（充電電圧）が高くなる。そして、メインコンデンサ１６が表示用充電電圧に達すると、発光ダイオード４８が点灯を開始する。
【００５３】
また、メインコンデンサ１６の充電電圧が高くなると、二次コイル３２の負荷が大きくなって二次側電流が流れにくくなるため、二次コイル３２の起電力、逆起電力の電圧が低下し、またブロッキング発振回路の発振周波数が高くなる。これにより、中間出力端子３０ｆの電位Ｖａは、その電位変化の周期が短くなるとともに、全体的に電位が低下する。
【００５４】
他方、第４端子３０ｄの電位Ｖｂは、電位Ｖａと同様にしてその変化の周期が短くなるが、充電開始直後と同じ電位で変化する。このため、起電力が発生している期間では、中間出力端子３０ｆの電位Ｖａが第４端子３０ｄの電位Ｖｂよりも低くなるのでダイオード４１を介して、ツェナダイオード４２に逆方向電圧がかかるようになる。
【００５５】
しかし、メインコンデンサ１６が規定充電電圧に達する前では、電位差（Ｖｂ−Ｖａ）が電圧Ｖｏｎよりも小さいために、ツェナダイオード４２にはツェナ電圧よりも小さい逆電圧しか印加されない。したがって、ツェナダイオード４２にツェナ電流が流れないので、発振トランジスタ２９の発振動作が継続される。また、発振トランジスタ２９の発振動作が継続されるため、発光ダイオード４８が連続的に点灯している。
【００５６】
さらに充電が進んで、メインコンデンサ１６の充電電圧が規定充電電圧に達すると、ツェナ電圧以上の逆電圧がツェナダイオード４２に印加されるようになる。これによりツェナダイオード４２にツェナ電流が流れて、このツェナ電流で停止用コンデンサ４４が充電される。このとき、停止用コンデンサ４４は、抵抗を介さずに直接にツェナ電流で充電されるから、その充電は、短時間で完了する。停止用コンデンサ４４の充電後に、この停止用コンデンサ４４の充電電圧が停止用トランジスタ４３のベース電圧として与えられて、停止用トランジスタ４３がＯＮとなる。これにより、発振トランジスタ２９の入力端子が短絡されるので発振トランジスタ２９が停止し、メインコンデンサ１６の充電が停止する。
【００５７】
停止用コンデンサ４４の放電は、抵抗４５ｂを介して行われるため、停止用トランジスタ４３は、瞬間的ではなく適当な一定のＯＮ時間（例えば約０．３ｓｅｃ）だけＯＮとなる。これにより、このＯＮ時間だけ発振トランジスタ２９へのベース電流の供給が阻止されるため、スイッチ部１７がＯＮ状態となっているが、確実に発振トランジスタ２９の作動が停止される。
【００５８】
停止用コンデンサ４４の放電が進み、その充電電圧が所定の電圧まで低下すると、停止用トランジスタ４３はＯＦＦとなる。スイッチ部１７がＯＮ状態となっているため、停止用トランジスタ４３がＯＦＦとなると、電池１９からのバイアス電流の供給が再開されて、発振トランジスタ２９が再び発振を開始する。しかし、メインコンデンサ１６は、ほぼ規定充電電圧まで充電されているから、この発振の再開の直後に、ツェナダイオード３７にツェナ電流が流れて、上記同様にして停止用コンデンサ４４が充電され、この充電後に停止用コンデンサ４３の放電により停止用トランジスタ４３がＯＮとなって発振トランジスタ２９が停止して、メインコンデンサ１６の充電が停止される。
【００５９】
この後、再び停止用トランジスタ４３がＯＦＦとなると、上記同様にして、発振トランジスタ２９の発振と停止、すなわちメインコンデンサ１６の充電と充電停止とが、スイッチ部１７がＯＮ状態となっている間に繰り返し行われる。これにより、メインコンデンサ１６の自然放電分を補うようにして断続的に補助充電が行われメインコンデンサ１６は、ほぼ一定な充電電圧に保たれる。
【００６０】
このときに、発光ダイオード４８は、発振トランジスタ２９が発振している間に点灯し、停止用トランジスタ４３で充電が停止されると消灯するといった動作を繰り返すため、一定の間隔で点滅することになる。撮影者は、この発光ダイオード４８の点滅を確認したならば、シャッタボタン８を押圧操作する。
【００６１】
シャッタボタン８の押圧操作に応答してシャッタ羽根が全開した瞬間に、トリガスイッチ１８がＯＮとなる。スイッチ部１７では、トリガ放電回路中に配された第１接点２１ａと第２接点２１ｂとが可動片２０によって接続されている。このため、シンクロスイッチ１８がＯＮとなると、トリガ放電回路が閉じられる。これにより、充電された状態のトリガコンデンサ３５が放電して、その放電電流がトリガトランス３７の一次コイル３７ａに流れ、二次コイル３７ｂで発生したトリガ電圧がストロボ放電管３８に印加され、メインコンデンサ１６の電荷がストロボ放電管３８内で放電するため、ストロボ発光が行われる。
【００６２】
上記のようにして、メインコンデンサ１６への充電が行われるが、一次コイル３１に流れる一次側電流が流れる回路上にスイッチを配していないので、スイッチの接触抵抗により一次側電流が低下することはない。したがって、メインコンデンサ１６の充電時間は短時間で行われる。なお、メインコンデンサ１６を充電する二次側電流が流れるスイッチ部１７の部分、すなわち可動片２０が第１接点２１ａに接触している部分にも接触抵抗があるが、電気エネルギーの損失は、電圧が高くなるほど小さくなる。したがって、電気エネルギー損失は極めて小さく、この接触抵抗による充電時間の遅延分は無視できるほど小さい。例えば、一次側電流を流す電圧、すなわち電池１９の電圧を１．５Ｖ，二次コイル３２の起電力の電圧を３００Ｖとし、充電スイッチを一次側に設けた場合と二次側に設けた場合の接触抵抗が同じと仮定すれば、二次側での電気エネルギーの損失は、一次側に設けた場合に対して１／４００００（＝（３００／１．５）2 ）に抑えられる。
【００６３】
一方、ストロボ発光をせずに撮影を行う場合には、操作レバー７をＯＦＦ位置にする。この操作は、メインコンデンサ１６の充電途中でも充電完了後でもよい。例えば、メインコンデンサ１６の充電途中で操作レバー７をＯＦＦ位置にすると、スイッチ部１７がＯＦＦ状態に変移し、バイアス回路，主二次側回路，副二次側回路がそれぞれ開かれる。
【００６４】
バイアス回路が開かれることによって、電池１９からのバイアス電流が発振トランジスタ２９のベース電流として流れなくなる。また、主二次側回路が開かれることによって、発振トランス３０の二次コイル３２からの二次側電流が発振トランジスタ２９への帰還電流として流れなくなる。これにより、発振トランジスタ２９は、自励発振することなく完全に停止する。
【００６５】
操作レバー７をＯＦＦ位置にした後に、シャッタボタン８を押圧操作して撮影を行うと、シャッタ羽根が全開した瞬間にシンクロスイッチ１８がＯＮとなるが、スイッチ部１７がＯＦＦ状態とされているからトリガ放電回路の一部、すなわち第１接点２１ａと第２接点２１ｂとの間が開かれているので、トリガコンデンサ３５が放電することがない。
【００６６】
したがって、メインコンデンサ１６の充電電圧が規定充電電圧まで充電されいたとしても、ストロボ放電管３８にトリガ電圧が印加されることがないのでストロボ発光が行われることがない。
【００６７】
上記実施形態では、発振トランスの中間出力端子の電位変化に基づいて作動する発振停止回路が組み込まれ，また充電完了を発光ダイオードで表示させているが、発振停止回路がメインコンデンサの充電電圧に基づいて作動するストロボ装置、発振停止回路がないストロボ装置であってもよく、また従来のようにネオン管で充電完了を知らせるストロボ装置でもよい。また、上記実施形態では、マイナス充電タイプのストロボ装置について説明したが、一方の電位を一定にしたたま他方の電位が高くなるようにして充電を行うプラス充電タイプのストロボ装置でもよい。
【００６８】
さらに、上記実施形態では、ストロボ装置をレンズ付きフイルムユニットに内蔵した例について説明したが、一眼レフカメラやコンパクトカメラに内蔵あるいは接続されるストロボ装置にも本発明を利用することができ、また単体で使用されるストロボ装置にも利用できる。
【００６９】
【発明の効果】
以上に述べたように、本発明のストロボ装置によれば、発振トランジスタのベース端子に電池からのバイアス電流と発振トランスからの二次側電流を供給する回路を開閉する第１スイッチと、トリガコンデンサからの放電電流をシンクロスイッチを介してトリガトランスの一次側に供給する回路を開閉する第２スイッチとを設けて、これらの第１スイッチと第２スイッチのそれぞれのいずれか一方の接続端子を共有化して３接点のスイッチ部を構成し、このスイッチ部の３接点間をオンすることによってメインコンデンサ及びトリガコンデンサへの充電を行い、またシンクロスイッチのオンでストロボ放電管を発光させ、３接点間をオフとすることによって充電を停止し、またシンクロスイッチのオンにかかわらずストロポ放電管の発光を禁止するようにしたから、発振トランスの一次側に流れる回路上にスイッチが配されないため、一次電流がスイッチの接触抵抗で小さくなることがないのでメインコンデンサの充電時間を短くすることがきる。
【００７０】
また、充電と発光選択を行うためのスイッチ部が１個でとなるので設置スペースが少なくすることができとともに、製造工程数の増加，製造コストの上昇を避けることができる。さらには、３接点間をオフとすることで充電が確実に停止され、しかも接点数が少ないので接触不良を生じる可能性も低くできる。
【図面の簡単な説明】
【図１】本発明を実施したストロボ装置の回路図である。
【図２】本発明のストロボ装置を内蔵したレンズ付きフイルムユニットの外観図である。
【図３】ストロボ装置の外観を示す斜視図である。
【図４】従来の３接点のスイッチ部を用いたストロボ装置の回路図である。
【図５】充電スイッチをバイアス回路上に設けたストロボ装置の回路図である。
【図６】充電スイッチと発光選択スイッチを別々に設けたストロボ装置の回路図である。
【図７】電池と一次コイル，三次コイルとの間に充電スイッチを設け、発光選択スイッチとともに３接点のスイッチ部を構成したストロボ装置の回路図である。
【符号の説明】
７  操作レバー
１６  メインコンデンサ
１７  スイッチ部
１９  電池
２０  可動片
２１ａ〜２１ｃ  接点
２９  発振トランジスタ
３０  発振トランス
３５  トリガコンデンサ
３８  ストロボ放電管
３７  トリガトランス
【図１】
0003947306.tif 000002
【図２】
0003947306.tif 000003
【図３】
0003947306.tif 000004
【図４】
0003947306.tif 000005
【図５】
0003947306.tif 000006
【図６】
0003947306.tif 000007
【図７】
0003947306.tif 000008